(57)【要約】【課題】投射用レンズの筐体に対する収納とプロジェクタ本体の収納とを共動させて行うことにより収納作業を簡略化した収納型広角プロジェクタを提供する。【解決手段】広角の投射用レンズ３がレンズ支持部４によって筐体２内部に収納された収納位置と筐体２内部から少なくとも一部が露呈された使用位置との間で変位可能変位可能に支持されるとともに、筐体２が壁面２１に対して回動可能に支持され、更に、共同機構７によって壁面２１に対して筐体２を平行に支持した際に投射用レンズ３を収納位置となるように共動させ、且つ壁面２１に対して筐体２を垂直に支持した際に投射用レンズ３を使用位置となるように共動させる。【選択図】図７
2008191196.tif 000002
【特許請求の範囲】
【請求項１】
筐体と、
前記筐体内部から転送される画像を拡大して投射面に対して投射する広角の投射用レンズと、
前記投射用レンズを前記筐体内部に収納した位置と筐体内部から少なくとも一部が露呈した位置との間で変位可能に支持するレンズ支持手段と、
前記筐体の一端に設けられ、投射面を備える壁面に対して筐体を回動可能に支持する筐体支持部材と、
前記投射用レンズの前記筐体に対する位置と前記筐体の回動角とを共動させる共動機構と、を有し、
前記壁面に対して前記筐体を平行に支持した際に前記投射用レンズを前記筐体内部に収納するとともに、
前記壁面に対して前記筐体を垂直に支持した際に前記投射用レンズの少なくとも一部を前記筐体内部から露呈することを特徴とする収納型広角プロジェクタ。
【請求項２】
前記共同機構は前記投射用レンズの前記筐体に対する位置と前記筐体の回動角とをリンクさせることを特徴とする請求項１に記載の収納型広角プロジェクタ。
【請求項３】
前記投射用レンズは半円形状からなり、
投射時において前記レンズ支持手段は前記投射用レンズの切断面が前記筐体に対向するように支持することを特徴とする請求項１又は請求項２に記載の収納型広角プロジェクタ。
【請求項４】
前記筐体内部に配置され、前記投射用レンズを介して光を投射面に照射する光源ランプを有し、
前記光源ランプは光軸方向が重力方向と常に垂直となるように配置されることを特徴とする請求項１乃至請求項３のいずれかに記載の収納型広角プロジェクタ。
【請求項５】
前記筐体の外面上に設けられ、ユーザの操作を受け付ける操作ボタンを有し、
前記操作ボタンは前記筐体を前記壁面に対して平行に支持した場合に壁面に対向する面上に設けられていることを特徴とする請求項１乃至請求項４のいずれかに記載の収納型広角プロジェクタ。
【発明の詳細な説明】
【技術分野】
【０００１】
本発明は、近接する投射面に対して画像を投射する広角の投射用レンズを備える収納型広角プロジェクタに関し、特に、投射用レンズの筐体に対する収納とプロジェクタ本体の収納作業を簡略化した収納型広角プロジェクタに関する。
【背景技術】
【０００２】
近年では、会議やプレゼンテーション、研修、教育などの場面において、プロジェクタ等を使用してスクリーン（投射面）に画像情報や文字情報を映すことが一般的になっている。また、投射する画面サイズとしては例えば５０インチやそれ以上の大画面とする要求が多く、表示装置はフロント投射型のプロジェクタが主流となっている。
しかしながら、一般のプロジェクタではそのような大画面に投射する為にはスクリーンとプロジェクタとの間隔を相当距離空ける必要がある。従って、プロジェクタを部屋中央付近等の視聴者のスペース内に設置することとなり、視聴者のスペースを奪う結果となっていた。
それに対して、広角の投射用レンズを備えたプロジェクタは、プロジェクタとスクリーンとを接近させることができるという利点を持つ。したがって、家庭内や会議室内などの狭い空間でも、視聴者のスペースを奪うことなく比較的大きな投射画像を得ることができる。
【０００３】
一方で、プロジェクタには不使用時の収納スペースに関する問題も生じていた。即ち、プロジェクタが使用されていない時にも、プロジェクタを使用する位置に置いた状態とすると、そのスペースが活用できないため、プロジェクタは部屋の隅に片付けられ、その都度設置、片付けを頻繁に行う必要がある。また、プロジェクタを天井に吊る形で固定することも可能であるが、メンテンス作業の煩雑さや設置費用が問題となっていた。そこで、例えば特開２００４−２５２２８２号公報には、壁際に設置された家具などの収納筐体に回転軸を介して結合される回転板上にプロジェクタを固定し、回転板を開閉することでプロジェクタを収納筐体内部に収納する収納システムについて記載されている。また、実開昭６２−２０１７８５号公報にはスクリーンを備えた壁面に対して回動可能に支持された前面板にプロジェクタを設置し、前面板の回動に伴ってプロジェクタの収納を行う収納システムについて記載されている。
【特許文献１】特開２００４−２５２２８２号公報（第５−６頁、図１）
【特許文献２】実開昭６２−２０１７８５号公報（図３、図４）
【発明の開示】
【発明が解決しようとする課題】
【０００４】
ここで、広角の投射用レンズを備えたプロジェクタは投射用レンズのレンズサイズが非常に大きい為に、投射用レンズをプロジェクタの筐体内部に収納した状態で使用することが困難である。従って、少なくとも使用時には投射用レンズを筐体の外部に露呈した状態としなければならないが、不使用時にも筐体の外部に露呈した状態とすると収納スペースが大きくなってしまう。そこで、不使用時のみ投射用レンズを筐体内部に収納することが考えられる。
【０００５】
しかしながら、上記特許文献１や特許文献２に記載のプロジェクタでは、本願発明の投射用レンズに相当する非球面ミラーや鏡の収納は、プロジェクタ本体の収納と収納動作が完全に独立していた。即ち、プロジェクタを収納する際に、ユーザは先ず非球面ミラーや鏡の収納を行った後に、改めてプロジェクタ本体を壁面に対して回動させて収納を行っていた。従って、プロジェクタの収納作業には段階的な複数の工程が必要となり、収納作業が煩雑化していた。また、収納したプロジェクタを使用する際においても、プロジェクタを使用可能な状態へと準備する為に段階的な複数の工程が必要となっていた。
【０００６】
本発明は、前記従来の問題点を解消するためになされたものであり、広角の投射用レンズを備えたプロジェクタであっても、プロジェクタを収納する収納工程や使用の為の準備工程を一工程で行うことができ、収納作業や準備作業の簡略化を可能とした収納型広角プロジェクタを提供することを目的とする。
【課題を解決するための手段】
【０００７】
前記目的を達成するため請求項１に係る収納型広角プロジェクタは、筐体と、前記筐体内部から転送される画像を拡大して投射面に対して投射する広角の投射用レンズと、前記投射用レンズを前記筐体内部に収納した位置と筐体内部から少なくとも一部が露呈した位置との間で変位可能に支持するレンズ支持手段と、前記筐体の一端に設けられ、投射面を備える壁面に対して筐体を回動可能に支持する筐体支持部材と、前記投射用レンズの前記筐体に対する位置と前記筐体の回動角とを共動させる共動機構と、を有し、前記壁面に対して前記筐体を平行に支持した際に前記投射用レンズを前記筐体内部に収納するとともに、前記壁面に対して前記筐体を垂直に支持した際に前記投射用レンズの少なくとも一部を前記筐体内部から露呈することを特徴とする。
【０００８】
また、請求項２に係る収納型広角プロジェクタは、請求項１に記載の収納型広角プロジェクタにおいて、前記共同機構は前記投射用レンズの前記筐体に対する位置と前記筐体の回動角とをリンクさせることを特徴とする。
【０００９】
また、請求項３に係る収納型広角プロジェクタは、請求項１又は請求項２に記載の収納型広角プロジェクタにおいて、前記投射用レンズは半円形状からなり、投射時において前記レンズ支持手段は前記投射用レンズの切断面が前記筐体に対向するように支持することを特徴とする。
【００１０】
また、請求項４に係る収納型広角プロジェクタは、請求項１乃至請求項３のいずれかに記載の収納型広角プロジェクタにおいて、前記筐体内部に配置され、前記投射用レンズを介して光を投射面に照射する光源ランプを有し、前記光源ランプは光軸方向が重力方向と常に垂直となるように配置されることを特徴とする。
【００１１】
更に、請求項５に係る収納型広角プロジェクタは、請求項１乃至請求項４のいずれかに記載の収納型広角プロジェクタにおいて、前記筐体の外面上に設けられ、ユーザの操作を受け付ける操作ボタンを有し、前記操作ボタンは前記筐体を前記壁面に対して平行に支持した場合に壁面に対向する面上に設けられていることを特徴とする。
【発明の効果】
【００１２】
請求項１に係る収納型広角プロジェクタでは、投射用レンズの筐体に対する位置と筐体の回動角とを共動させる共動機構を備えることによって、壁面に対して筐体を平行に支持した際に投射用レンズを筐体内部に収納するとともに、壁面に対して筐体を垂直に支持した際に投射用レンズの少なくとも一部を筐体内部から露呈するように構成する。それにより、サイズが大きい広角の投射用レンズを備えたプロジェクタであっても、プロジェクタを収納する収納工程を一工程で行うことができ、収納作業を簡略化することが可能となる。一方、収納されたプロジェクタを使用する際においても、プロジェクタを使用可能な状態とする準備工程を一工程で行うことができ、準備作業を簡略化することが可能となる。
【００１３】
また、請求項２に係る収納型広角プロジェクタでは、投射用レンズの筐体に対する位置と筐体の回動角とをリンクさせることにより、筐体の位置を変化させることに伴って投射用レンズの位置についてもリンクさせて変更することが可能となる。それにより、筐体の回動作業と投射用レンズの収納及び搬出作業とを別途独立に行う必要なく、収納作業や使用準備作業を簡略化することが可能となる。
【００１４】
また、請求項３に係る収納型広角プロジェクタでは、投射用レンズは半円形状からなり、投射時において投射用レンズの切断面が筐体に対向するように支持する。それにより、画角を広くする為によりサイズが大きい広角の投射用レンズを用いる場合であっても、投射用レンズを収納する筐体サイズの大型化を防止できる。従って、投射面に近接した位置から大画面の投射が可能となる一方で収納性にも優れたプロジェクタの提供が可能となる。
【００１５】
また、請求項４に係る収納型広角プロジェクタでは、投射用レンズを介して光を投射面に照射する光源ランプは光源ランプの光軸方向が重力方向と常に垂直となるように配置される。それにより、筐体を回動させても光源ランプが常に水平に保たれるので、ランプ破壊やランプ切れを起こさず、光源ランプを正しい使用態様で使用することができ、長時間の使用においてもトラブルの発生を防止できる。
【００１６】
更に、請求項５に係る収納型広角プロジェクタでは、筐体を壁面に対して平行に支持した場合にユーザの操作を受け付ける操作ボタンが、壁面に対向する面上に設けられている。それにより、プロジェクタを収納した状態では操作ボタンが隠蔽されるので、収納した状態での光源ランプの起動等の誤操作を防止できる。
【発明を実施するための最良の形態】
【００１７】
以下、本発明に係る収納型広角プロジェクタについて具体化した第１乃至第３実施形態について図面を参照しつつ詳細に説明する。
【００１８】
〔第１実施形態〕
先ず、第１実施形態に係る収納型広角プロジェクタ１の構成について図１〜図４に基づき説明する。図１は第１実施形態に係る収納型広角プロジェクタ１を示す斜視図、図２は第１実施形態に係る収納型広角プロジェクタ１について特に筐体外壁を透過状態とした斜視図である。また、図３は第１実施形態に係る収納型広角プロジェクタ１を示す平面図、図４は第１実施形態に係る収納型広角プロジェクタ１を示す側面図である。更に、図５は第１実施形態に係る収納型広角プロジェクタ１が特に収納状態にある場合を示す斜視図である。
【００１９】
図１に示すように、第１実施形態に係る収納型広角プロジェクタ１は、筐体２と、投射用レンズ３と、レンズ支持部４と、筐体支持部５、６と、共同機構７とから基本的に構成されている。
【００２０】
筐体２は、収納型広角プロジェクタ１の外形をなす本体部であり、直方体形状を有する。そして、図２及び図３に示すように筐体２内部には後述する光源や画像形成素子等からなる照明光学系１１や、電源回路基板１２、制御回路基板１３等の各制御基板や、冷却ファン１４を収納する。また、筐体の上壁２Ａにはユーザの操作を受け付ける複数の操作ボタン１５が設けられている。操作ボタン１５は電源ボタン、投射開始ボタン、投射停止ボタン等からなる。一方、筐体２の底壁２Ｃには図５に示すように、ユーザが筐体２を回動させる際に把持する把持部１６と、冷却ファン１４の駆動に基づいて筐体２内部の照明光学系１１や電源回路基板１２等の冷却に使用された空気（エアー）を筐体２外部に排出するための吹出口１７が形成されている。更に、筐体２の側壁２Ｂには共同機構７が配置される。
また、筐体２としては光源から発する熱を放散しやすい材料及び構造とすることが好ましい。ここで、筐体２の材質としては、内部に収納された光源や制御基板等を保持できる程度の剛性を有するものが好ましい。例えば、アルミニウム合金やステンレスなどの金属、あるいは、比較的硬質な合成樹脂とすることが可能である。
【００２１】
投射用レンズ３は、筐体２内部から転送される画像を拡大して壁面２１が備えるスクリーン（投射面）２２に対して投射する広角のレンズである。ここで、第１実施形態に係る収納型広角プロジェクタ１で用いられる投射用レンズ３は、両凸レンズである第１広角レンズ３Ａと、凸メニスカスレンズである第２広角レンズ３Ｂとが所定間隔で連続して配置されることによって構成されている。第１広角レンズ３Ａ及び第２広角レンズ３Ｂは共に半円形状を有しており、各切断面３１、３２が筐体２に対向するようにレンズ支持部４により支持されている（図４参照）。尚、投射用レンズ３は一のレンズのみや３つ以上のレンズによって構成しても良い。また、投射面２２としては、例えば壁面２１に対して設置されたホワイトボード等が用いられ、その場合には筐体２はホワイトボードの設置位置の直下に取り付けるのが望ましい。
【００２２】
レンズ支持部４は投射用レンズ３を支持する支持部材である。図４に示すように、レンズ支持部４は、投射用レンズ３を筐体２内部に収納した際に筐体２の上壁２Ａと同一平面をなす天板４１と、投射用レンズ３や後述する反射ミラー７７の下端が固定された底板４２と、レンズ支持部４を筐体２に対して回動可能に支持するレンズ回動軸４３と、筐体２の側壁２Ｂに形成された規制溝４４に挿入され、規制溝４４の円弧形状に従って移動し、レンズ支持部４の回動を所定角度範囲に規制する規制突起４５とから構成されている。
そして、レンズ支持部４は、筐体２に対してレンズ回動軸４３を中心に回動することによって、投射用レンズ３を筐体２内部に収納した位置（以下、投射用レンズ３及びレンズ支持部４の収納位置という）と筐体２内部から少なくとも一部が露呈した位置（以下、投射用レンズ３及びレンズ支持部４の使用位置という）との間で変位可能に支持する。更に、反射ミラー７７についても投射用レンズ３に従って位置が変位する。
また、図４に示すようにレンズ支持部４の後端にはコイルバネ４６の一端が取り付けられている。コイルバネ４６の他端は筐体２に固定されており、コイルバネ４６はレンズ支持部４が使用位置側（図４では時計回り）へと回動するように付勢する。
【００２３】
また、筐体支持部５、６は筐体２の一端に左右一対に設けられ、壁面２１に対して筐体２を回動可能に支持する支持部材である。ここで、筐体支持部５、６は左右対称で同一の構成を有するので、以下には特に筐体２の側壁２Ｂ側を支持する筐体支持部５を例に挙げて説明する。
筐体支持部５は図１、図４に示すように壁面２１に粘着シートやネジ等により固着される固着面５１と、固着面５１に対して直角方向に折曲された折曲面５２と、筐体２を回動可能に支持する筐体回動軸５３と、筐体２の側壁２Ｂに形成された規制突起５４が挿入され、円弧形状に沿って筐体２の回動を所定角度範囲に規制する規制溝５５とから構成されている。
そして、筐体支持部５、６は、壁面２１に対して筐体回動軸５３を中心に筐体２を回動させることによって、壁面２１に対して筐体２を平行に支持した位置（以下、筐体２の収納位置という）と壁面２１に対して垂直に支持した位置（以下、筐体２の使用位置という）との間で変位可能に支持する。尚、図１は筐体２が使用位置にある場合を示している。一方で、図５は筐体２が収納位置にある場合を示している。図５に示すように筐体２が収納位置にある場合には、壁面２１と筐体２とが平行となり、筐体２の上壁２Ａが壁面２１に対向して配置されると共に底壁２Ｃが正面側に配置される。その結果、上壁２Ａに配置された操作ボタン１５が壁面２１に対向する位置となり、収納位置にある状態ではユーザからの操作を受け付けないように構成される。
【００２４】
また、共同機構７は筐体２の側壁２Ｂに設けられ、投射用レンズ３の筐体２に対する位置と筐体２の回動角とを共動させる機構部である。また、共同機構７は投射用レンズ３の筐体２に対する位置と筐体２の回動角とをリンクさせるリンク機構にも相当する。前記投射用レンズの前記筐体に対する位置と前記筐体の回動角とをリンクさせる共同機構７は、図４に示すように長尺状の連結板６１と、連結板６１を筐体２に対して回動可能に支持する連結板回動軸６２と、連結板６１の一端に形成され筐体支持部５の外周面に対して当接する突状部６３とから構成される。また、連結板６１の下側面６４はレンズ支持部４の規制突起４５と当接するように支持される。
そして、共同機構７は後述するように筐体２が壁面２１に対して回動すると、その回動動作にリンクしてレンズ支持部４についても筐体２に対して回動させるように作用する。例えば、図６に示す壁面２１に対して垂直な位置から位置から図８に示す壁面に対して平行な位置まで筐体２が回動すると、レンズ支持部４は投射用レンズ３を筐体外部に露出した位置から筐体内部に収納した位置まで筐体２に対して反時計周りに回動する。一方、反対に図８に示す壁面に対して平行な位置から図６に示す壁面２１に対して垂直な位置から位置まで筐体２が回動すると、レンズ支持部４は投射用レンズ３を筐体内部に収納した位置から筐体外部に露出した位置まで筐体２に対して反時計周りに回動する。
【００２５】
次に、図６乃至図８を用いて上記共同機構７を用いた第１実施形態に係る収納型広角プロジェクタ１を収納する収納動作及び収納した状態から使用可能な状態へと戻す準備動作について説明する。
先ず、収納型広角プロジェクタ１の収納を行う際には、筐体２及び投射用レンズ３が使用位置にあって、投射面２２への画像の投射を行うことが可能な図６の状態から、ユーザが筐体２の把持部１６を持ち、図６の反時計回り方向Ｘ１へと回動させる。
すると、図７に示すように筐体支持部５の外周面と接する共同機構７の突状部６３が筐体支持部５により押圧され、連結板６１が連結板回動軸６２を中心に図７の時計回り方向Ｙ１へと回動する。
その結果、コイルバネ４６の付勢力に逆らって、下側面６４と接する規制突起４５が押圧され、レンズ支持部４がレンズ回動軸４３を中心にコイルバネ４６の付勢力に逆らって図７の反時計回り方向Ｚ１へと回動する。
そして、筐体２が壁面２１に対して平行に支持された位置まで回動された図８の収納位置まで到ると、投射用レンズ３の全体がレンズ支持部４によって筐体２内部に収納される。以上より、収納型広角プロジェクタ１の収納動作が完了する。
【００２６】
一方、逆に収納型広角プロジェクタ１を収納した状態から使用可能な状態へと戻す為の準備動作では、先ず、筐体２を図８の時計回り方向Ｘ２に回動させる。すると、筐体支持部５の外周面と接する共同機構７の突状部６３による筐体支持部５の押圧が徐々に解除され、連結板６１が連結板回動軸６２を中心に図７の時計回り方向Ｙ２へと回動する。それによって、下側面６４による規制突起４５の押圧が徐々に解除される。その結果、コイルバネ４６の付勢力によってレンズ支持部４が図７の時計回り方向Ｚ２に徐々に回動され、筐体２が壁面２１と垂直な位置まで回動された時点で、投射用レンズ３の一部が筐体２内部から露呈した図６の使用位置となる。以上より、収納型広角プロジェクタ１の準備動作が完了する。
そして、上記したように収納型広角プロジェクタ１の収納動作及び準備動作においては、レンズ支持部４の動作が、筐体２の回動角に応じて規制されることとなる。
【００２７】
次に、上記収納型広角プロジェクタ１の内部構成について図２及び図３を参照して説明する。図２及び図３に示すように筐体２の内部には、光源からの光を投射用レンズ３に導く為の光路を形成する照明光学系１１と、バラスト等を含み収納型広角プロジェクタ１を駆動させる為の電源を供給する電源回路基板１２と、外部より入力された映像信号に基づいて画像形成素子を制御する画像処理回路等を搭載した制御回路基板１３と、空気（エアー）を送り出すことにより照明光学系１１や各制御基板１２、１３を冷却する冷却ファン１４とが配置されている。
【００２８】
以下に、照明光学系１１について図２及び図３に基づいてより詳細に説明する。照明光学系１１は超高圧水銀ランプ７１とライトトンネル７２と第１レンズ７３とＬＣＤ（Liquid Crystal Display）７４と第２レンズ７５と絞り７６と反射ミラー７７と投射用レンズ３とによって構成される。
【００２９】
ここで、超高圧水銀ランプ７１はガラス管内の水銀蒸気中のアーク放電により発生する光放射を利用した光源である。尚、第１実施形態に係る収納型広角プロジェクタ１では図３に示すように超高圧水銀ランプ７１の光軸方向Ｌを、筐体２の両側面にある筐体回動軸５３をそれぞれ通る回動軸Ｍと常に平行とすることにより、超高圧水銀ランプ７１は光軸方向Ｌが重力方向と常に垂直となるように配置される。
また、ライトトンネル７２は一端側開口から入射した光を内部で反射を繰り返させた後に他端側開口から出射することにより、短い光路長で凝縮され且つ均一化された光を得る光学部品である。尚、ライトトンネル７２を用いることにより、光路長さを短縮して筐体２をコンパクトにすることが可能となる。
また、第１レンズ７３及び第２レンズ７５は光源から入射される光を光軸Ｌ上に集光する為のレンズである。
また、ＬＣＤ７４は透過型のＬＣＤであり、光源から入射される光を変調し、投射されるべき画像を生成する画像形成素子である。
また、絞り７６は不要光の投射を遮断し光軸に平行な光に絞るためのものである。
また、反射ミラー７７は入射した光の光軸を変更し、投射用レンズ３側へと光を反射させるミラーである。
【００３０】
上記構成を有する照明光学系１１によれば、超高圧水銀ランプ７１より出射された光は先ずライトトンネル７２に入射する。ライトトンネル７２に入射した光は、ライトトンネル７２の内部で複数回反射を繰り返してライトトンネル７２から出射し、第１レンズ７３に入射する。第１レンズ７３を通過して出射した光の光線は平行になって、画像形成素子のＬＣＤ７４に至る。ＬＣＤ７４に入射した光は変調されて画像を生成する。そして、変調された光は第２レンズ７５により再度集束された後に絞り７６によって絞られ、反射ミラー７７で反射された後に投射用レンズ３に導かれる。そして、投射用レンズ３により拡大されて投射面２２に対して所定サイズで投射される。
尚、画像形成素子としては透過型のＬＣＤ７４の替わりにＤＭＤ（Digital Mirror Device）を用いても良い。
【００３１】
また、本実施形態に係る冷却ファン１４は、収納型広角プロジェクタ１が使用状態にある場合においては、図９に示すように筐体２の下方に配置された吹出口１７から壁面２１側の斜め下方（図９の左下方向）に対してエアーを吹き出すように構成される。
一方、収納型広角プロジェクタ１の収納時においては基本的には冷却ファン１４の駆動は行われないが、収納が終了した時点から所定時間（例えば１ｍｉｎ）の間は、照明光学系１１や各制御基板１２、１３の余熱を放熱する為に冷却ファン１４が駆動される。そして、図１０に示すように収納型広角プロジェクタ１が収納状態にある場合には、筐体２の前方に配置された吹出口１７から壁面２１と反対方向の斜め下方（図１０の右下方向）に対してエアーを吹き出すように構成される。従って、収納型広角プロジェクタ１の使用時であっても収納時であっても、吹出口１７が壁面２１に遮られることなく照明光学系１１や制御基板１２、１３の放熱を行うことが可能となる。更に、人に向かって放熱の風が当ることは無い。
【００３２】
以上説明した通り第１実施形態に係る収納型広角プロジェクタ１では、広角の投射用レンズ３がレンズ支持部４によって筐体２内部に収納された収納位置と筐体２内部から少なくとも一部が露呈された使用位置との間で変位可能に支持されるとともに、筐体２が壁面２１に対して回動可能に支持され、更に、共同機構７によって壁面２１に対して筐体２を平行に支持した際に投射用レンズ３を収納位置となるように共動させ、壁面２１に対して筐体２を垂直に支持した際に投射用レンズ３を使用位置となるように共動させるので、サイズが大きい広角の投射用レンズ３を備えたプロジェクタであっても、プロジェクタを収納する収納工程を一工程で行うことができ、収納作業を簡略化することが可能となる。一方、収納されたプロジェクタを使用する際においても、プロジェクタを使用可能な状態とする準備工程を一工程で行うことができ、準備作業を簡略化することが可能となる。
また、投射用レンズ３の筐体２に対する位置と筐体２の回動角とをリンクさせることにより、筐体２の位置を変化させることに伴って投射用レンズ３の位置についてもリンクさせて変更することが可能となる。それにより、筐体２の回動作業と投射用レンズ３の収納及び搬出作業とを別途独立に行う必要なく、プロジェクタの収納作業や使用の為の準備作業を簡略化することが可能となる。
また、投射用レンズ３を構成する第１広角レンズ３Ａ及び第２広角レンズ３Ｂは半円形状からなり、各レンズ３Ａ、３Ｂの切断面３１、３２が筐体２に対向するように支持するので、画角を広くする為によりサイズが大きい広角の投射用レンズ３を用いる場合であっても、投射用レンズ３を収納する筐体サイズの大型化を防止できる。従って、投射面に近接した位置から大画面の投射が可能となる一方で収納性にも優れたプロジェクタの提供が可能となる。
また、投射用レンズ３を介して光を投射面２２に照射する超高圧水銀ランプ７１は光軸方向Ｌが筐体の回動軸Ｍと平行となるように配置される。それにより、筐体２を回動させても超高圧水銀ランプ７１の光軸方向Ｌが重力方向と常に垂直に保たれるので、超高圧水銀ランプ７１を正しい使用態様で使用することができ、長時間の使用においてもトラブルの発生を防止できる。
更に、筐体２を壁面２１に対して平行に支持した場合にユーザの操作を受け付ける操作ボタン１５が、壁面２１に対向する面上に設けられている。よって、プロジェクタを収納した状態では操作ボタン１５が隠蔽されるので、収納した状態での超高圧水銀ランプ７１の駆動等の誤操作を防止できる。
【００３３】
〔第２実施形態〕
次に、第２実施形態に係る収納型広角プロジェクタ１０１について図１１及び図１２に基づいて説明する。尚、以下の説明において上記図１乃至図１０の第１実施形態に係る収納型広角プロジェクタ１の構成と同一符号は、前記第１実施形態に係る収納型広角プロジェクタ１等の構成と同一あるいは相当部分を示すものである。
【００３４】
この第２実施形態に係る収納型広角プロジェクタ１０１の概略構成は、第１実施形態に係る収納型広角プロジェクタ１とほぼ同じ構成である。また、各種制御処理も第１実施形態に係る収納型広角プロジェクタ１とほぼ同じ制御処理である。しかしながら、第２実施形態に係る収納型広角プロジェクタ１０１は、手動で投射用レンズ１０３の収納位置と使用位置とを切り換える点で第１実施形態に係る収納型広角プロジェクタ１と異なっている。
【００３５】
図１１に示すように第２実勢形態に係る収納型広角プロジェクタ１０１は、第１実施形態に係る収納型広角プロジェクタ１０１と同様に、投射用レンズ１０３と、筐体１０２に対して回動可能に設けられたレンズ支持部１０４を備える。
【００３６】
レンズ支持部１０４は投射用レンズ１０３を支持する支持部材であり、レンズ支持部１０４の後端に形成された延出部１０５と、レンズ支持部１０４を筐体１０２に対して回動可能に支持するレンズ回動軸１０６と、投射用レンズ１０３の下部に形成されたセンサ検知部１０７とから構成されている。また、レンズ支持部１０４の後端にはコイルバネ１０８の一端が取り付けられている。コイルバネ１０８の他端は筐体１０２に固定されており、コイルバネ１０８はレンズ支持部１０４が使用位置側（図１１では時計回り）へと回動するように付勢する。
【００３７】
更に、筐体２には投射用レンズ１０３を収納位置から使用位置へと切り換える為の切換操作スイッチ１０９を備える。ここで、切換操作スイッチ１０９はレンズ支持部１０４が回動されて収納位置に到った場合に、図１１に示すように延出部１０５と係合し、レンズ支持部４を収納位置に固定する。
【００３８】
従って、投射用レンズ１０３を筐体１０２内部に収納する場合には、使用位置にあるレンズ支持部１０４の上面を上方からユーザの手で図１１に示す反時計回り方向Ｎ１に押さえることによって、レンズ支持部１０４をレンズ回動軸１０６中心に回動させる。そして延出部１０５を切換操作スイッチ１０９と係合させることによってレンズ支持部１０４を固定し、投射用レンズ１０３を筐体１０２内部に収納した収納位置とする。
一方、投射用レンズ１０３を筐体１０２内部から搬出する場合には、図１２に示すように切換操作スイッチ１０９を操作して操作方向Ｓへとスライド移動させる。その結果、延出部１０５と切換操作スイッチ１０９の係合が解除され、レンズ支持部１０４はコイルバネ１０８の付勢に従ってレンズ回動軸１０６を中心に時計回り方向Ｎ２へと回動する。その結果、図１２に示す投射用レンズ１０３を筐体１０２内部から少なくとも一部が露呈した使用位置となる。
また、筐体２には位置検出センサ１１０が設けられている。位置検出センサ１１０は接触式のセンサであり、センサ検知部１０７との接触に基づいてレンズ支持部１０４が使用位置となったことを検出する。
【００３９】
以上説明した通り第２実施形態に係る収納型広角プロジェクタ１０１では、広角の投射用レンズ１０３がレンズ支持部１０４によって筐体１０２内部に収納された収納位置と筐体２内部から少なくとも一部が露呈された使用位置との間で変位可能変位可能に支持されるとともに、筐体１０２が壁面２１に対して回動可能に支持され、更に、切換操作スイッチ１０９の操作によって、投射用レンズ１０３を収納位置と使用位置とを容易に切り換えることが可能となる。従って、サイズが大きい広角の投射用レンズ１０３を備えたプロジェクタであっても、プロジェクタを収納する収納作業や準備作業を簡略化することが可能となる。
【００４０】
〔第３実施形態〕
次に、第３実施形態に係る収納型広角プロジェクタ２０１について図１３乃至図１５に基づいて説明する。尚、以下の説明において上記図１乃至図１０の第１実施形態に係る収納型広角プロジェクタ１の構成と同一符号は、前記第１実施形態に係る収納型広角プロジェクタ１等の構成と同一あるいは相当部分を示すものである。
【００４１】
この第３実施形態に係る収納型広角プロジェクタ２０１の概略構成は、第１実施形態に係る収納型広角プロジェクタ１とほぼ同じ構成である。また、各種制御処理も第１実施形態に係る収納型広角プロジェクタ１とほぼ同じ制御処理である。しかしながら、第３実施形態に係る収納型広角プロジェクタ２０１は、筐体２０２が壁面２１に対して上下方向と平行に取り付けられ、筐体２０２が壁面２１に対して水平方向に回動する点で第１実施形態に係る収納型広角プロジェクタ１と異なっている。
【００４２】
図１３に示すように、第３実施形態に係る収納型広角プロジェクタ２０１は、筐体２０２と、投射用レンズ２０３と、レンズ支持部２０４と、筐体支持部２０５、２０６と、共同機構２０７とから基本的に構成されている。尚、各構成部材２０２〜２０７は、既に説明した第１実施形態に係る収納型広角プロジェクタ１の筐体２、投射用レンズ３、レンズ支持部４、筐体支持部５、６、共同機構７と配置方向が異なるのみであって同じ構成を有しているので、詳細な説明については省略する。
【００４３】
以下に、図１３及び図１４を用いて第３実施形態に係る収納型広角プロジェクタ２０１を収納する収納動作及び収納した状態から使用可能な状態へと戻す準備動作について説明する。
先ず、収納型広角プロジェクタ２０１の収納を行う際には、筐体２０２及び投射用レンズ２０３が使用位置にあって、投射面２２への画像の投射を行うことが可能な図１３の状態から、ユーザが筐体２０２を壁面２１方向へと回動させる。
すると、レンズ支持部２０４がコイルバネ４６の付勢力に逆らって筐体２０２方向へと回動する。そして、筐体２０２が壁面２１に対して平行に支持された位置まで回動された図１４の収納位置まで到ると、投射用レンズ２０３の全体がレンズ支持部２０４によって筐体２０２内部に収納される。以上より、収納型広角プロジェクタ２０１の収納動作が完了する。
【００４４】
一方、逆に収納型広角プロジェクタ２０１を収納した状態から使用可能な状態へと戻す為の準備動作では、先ず、筐体２０２を壁面２１に対して離間する方向へ回動させる。それによって、レンズ支持部２０４が徐々に筐体２０２から離間する方向へと回動され、筐体２０２が壁面２１と垂直な位置まで回動された時点で、投射用レンズ２０３の一部が筐体２０２内部から露呈した図１３の使用位置となる。
そして、上記したように収納型広角プロジェクタ２０１の収納動作及び準備動作においては、レンズ支持部２０４の動作が、筐体２０２の回動角に応じて規制されることとなる。
【００４５】
次に、上記収納型広角プロジェクタ２０１の内部構成について図１５を参照して説明する。図１５に示すように筐体２０２の内部には、光源からの光を投射用レンズ２０３に導く為の光路を形成する照明光学系２１１と、バラスト等を含み収納型広角プロジェクタ２０１を駆動させる為の電源を供給する電源回路基板２１２と、外部より入力された映像信号に基づいて画像形成素子を制御する画像処理回路等を搭載した制御回路基板２１３と、空気（エアー）を送り出すことにより照明光学系２１１や各制御基板２１２、２１３を冷却する冷却ファン２１４とが配置されている。
【００４６】
以下に、照明光学系２１１について図１５に基づいてより詳細に説明する。照明光学系２１１は超高圧水銀ランプ２２１とライトトンネル２２２と第１レンズ２２３とＬＣＤ２２４と第２レンズ２２５と絞り２２６と第１反射ミラー２２７と第２反射ミラー２２８と投射用レンズ２０３とによって構成される。
【００４７】
尚、第１反射ミラー２２７及び第２反射ミラー２２８を除く各構成部材２２１〜２２４は、既に説明した第１実施形態に係る収納型広角プロジェクタ１の超高圧水銀ランプ７１、ライトトンネル７２、第１レンズ７３、ＬＣＤ７４、第２レンズ７５、絞り７６と配置方向が異なるのみであって同じ構成を有しているので、詳細な説明については省略する。
また、第３実施形態に係る収納型広角プロジェクタ２０１では、光軸方向Ｌを２段階に変更する為に第１反射ミラー２２７と第２反射ミラー２２８とを備える。それによって、超高圧水銀ランプ７１より出射された光を投射用レンズ２０３へと導く。
尚、第３実施形態に係る収納型広角プロジェクタ２０１では図１５に示すように超高圧水銀ランプ２２１の光軸方向Ｌが筐体２０２の回動軸Ｍと垂直となるように配置される。従って、超高圧水銀ランプ２２１の光軸方向Ｌは重力方向と常に垂直を維持できる。
【００４８】
以上説明した通り第３実施形態に係る収納型広角プロジェクタ２０１では、広角の投射用レンズ２０３がレンズ支持部２０４によって筐体２０２内部に収納された収納位置と筐体２０２内部から少なくとも一部が露呈された使用位置との間で変位可能変位可能に支持されるとともに、筐体２０２が壁面２１に対して回動可能に支持され、更に、共同機構２０７によって壁面２１に対して筐体２０２を平行に支持した際に投射用レンズ２０３を収納位置となるように共動させ、壁面２１に対して筐体２０２を垂直に支持した際に投射用レンズ２０３を使用位置となるように共動させるので、サイズが大きい広角の投射用レンズ２０３を備えたプロジェクタであっても、プロジェクタを収納する収納工程を一工程で行うことができ、収納作業を簡略化することが可能となる。一方、収納されたプロジェクタを使用する際においても、プロジェクタを使用可能な状態とする準備工程を一工程で行うことができ、準備作業を簡略化することが可能となる。
また、投射用レンズ２０３の筐体２０２に対する位置と筐体２０２の回動角とをリンクさせることにより、筐体２０２の位置を変化させることに伴って投射用レンズ２０３の位置についてもリンクさせて変更することが可能となる。それにより、筐体２０２の回動作業と投射用レンズ２０３の収納及び搬出作業とを別途独立に行う必要なく、プロジェクタの収納作業や使用の為の準備作業を簡略化することが可能となる。
また、投射用レンズ２０３は半円形状からなり、切断面が筐体２０２に対向するように支持するので、画角を広くする為によりサイズが大きい広角の投射用レンズ２０３を用いる場合であっても、投射用レンズ２０３を収納する筐体サイズの大型化を防止できる。従って、投射面に近接した位置から大画面の投射が可能となる一方で収納性にも優れたプロジェクタの提供が可能となる。
また、投射用レンズ２０３を介して光を投射面２２に照射する超高圧水銀ランプ２２１は光軸方向Ｌが筐体の回動軸Ｍと交差するように配置される。それにより、筐体２０２を回動させても超高圧水銀ランプ２２１の光軸方向Ｌが重力方向と常に垂直に保たれるので、超高圧水銀ランプ２２１を正しい使用態様で使用することができ、長時間の使用においてもトラブルの発生を防止できる。
更に、筐体２０２を壁面２１に対して平行に支持した場合にユーザの操作を受け付ける操作ボタンが、壁面２１に対向する面上に設けられているので、プロジェクタを収納した状態では操作ボタンが隠蔽されるので、収納した状態での超高圧水銀ランプ２２１の駆動等の誤操作を防止できる。
【００４９】
尚、本発明は前記実施例に限定されるものではなく、本発明の要旨を逸脱しない範囲内で種々の改良、変形が可能であることは勿論である。
例えば、第１乃至第３実施形態では投射用レンズ３、１０３、２０３の形状を半円形状としたが、筐体２内部に収納可能であって、且つ光の照射に使用される領域を含む形状であれば、その形状は半円形状に限られることは無い。例えば、円形状や扇形形状であっても良い。
【００５０】
また、第１及び第３実施形態では、共同機構７、２０７は筐体２、２０２の外部に設けられているが、筐体２、２０２の内部に設けても良い。それによって、プロジェクタの見栄えを良くすることができる。
【００５１】
また、第１及び第３実施形態では、筐体２、２０２の回動に応じてレンズ支持部４、２０４も徐々に回動することとなっているが、筐体２、２０２が使用位置へと移動終了した際に、レンズ支持部４、２０４がポップアップするように構成しても良い。
【図面の簡単な説明】
【００５２】
【図１】第１実施形態に係る収納型広角プロジェクタを示す斜視図である。
【図２】第１実施形態に係る収納型広角プロジェクタについて特に筐体外壁を透過状態とした斜視図である。
【図３】第１実施形態に係る収納型広角プロジェクタを示す平面図である。
【図４】第１実施形態に係る収納型広角プロジェクタを示す側面図である。
【図５】第１実施形態に係る収納型広角プロジェクタが収納状態にある場合を示す斜視図である。
【図６】筐体及びレンズ支持部が使用位置にある場合の収納型広角プロジェクタの収納動作を示す説明図である。
【図７】筐体及びレンズ支持部が回動中の収納型広角プロジェクタの収納動作を示す説明図である。
【図８】筐体及びレンズ支持部が収納位置にある場合の収納型広角プロジェクタの収納動作を示す説明図である。
【図９】筐体及びレンズ支持部が使用位置にある場合の冷却ファンによる冷却作用を示す説明図である。
【図１０】筐体及びレンズ支持部が収納位置にある場合の冷却ファンによる冷却作用を示す説明図である。
【図１１】第２実施形態に係る収納型広角プロジェクタにおいてレンズ支持部が収納位置にある場合の収納型広角プロジェクタの収納動作を示す説明図である。
【図１２】第２実施形態に係る収納型広角プロジェクタにおいてレンズ支持部が使用位置にある場合の収納型広角プロジェクタの収納動作を示す説明図である。
【図１３】第３実施形態に係る収納型広角プロジェクタにおいて筐体及びレンズ支持部が使用位置にある場合の収納型広角プロジェクタを示す斜視図である。
【図１４】第３実施形態に係る収納型広角プロジェクタにおいて筐体及びレンズ支持部が収納位置にある場合の収納型広角プロジェクタを示す斜視図である。
【図１５】第３実施形態に係る収納型広角プロジェクタを示す平面図である。
【符号の説明】
【００５３】
１、１０１、１０２          収納型広角プロジェクタ
２、１０２、２０２          筐体
３、１０３、２０３          投射用レンズ
４、１０４、２０４          レンズ支持部
５、６、２０５、２０６      筐体支持部
７、２０７                  共同機構
２１                        壁面
２２                        投射面
７１、２２１                超高圧水銀ランプ
【図１】
2008191196.tif 000003
【図２】
2008191196.tif 000004
【図３】
2008191196.tif 000005
【図４】
2008191196.tif 000006
【図５】
2008191196.tif 000007
【図６】
2008191196.tif 000008
【図７】
2008191196.tif 000009
【図８】
2008191196.tif 000010
【図９】
2008191196.tif 000011
【図１０】
2008191196.tif 000012
【図１１】
2008191196.tif 000013
【図１２】
2008191196.tif 000014
【図１３】
2008191196.tif 000015
【図１４】
2008191196.tif 000016
【図１５】
2008191196.tif 000017